(57)【特許請求の範囲】
【請求項１】
（ａ）外側バックサイド部、複数の縦方向に延長するＶ形リブを横断方向に離間配置した内側フロントサイド部、および前記外側バックサイド部と前記内側フロントサイド部との間に設け且つ前記縦方向に延長する荷重運搬コードを一体にした荷重運搬部を備えたＶ形リブ式ベルト、
（ｂ）前記Ｖ形リブ式ベルトの前記内側フロントサイド部に摩擦接触するフロントサイド駆動ベルト車、および
（ｃ）前記Ｖ形リブ式ベルトの前記外側バックサイド部と摩擦係合する平坦面バックサイドベルト車からなるＶ形リブ式ベルト車システムにおいて、
前記縦方向に延長し且つ前記横断方向に離間して前記外側バックサイド部の外面に配置する複数の凸部であって、前記平坦面バックサイドベルト車と接触する小さな接触パッチを形成しながらこれら凸部が前記平坦面バックサイドベルト車と接触し、
前記小さな接触パッチが、前記平坦面バックサイドベルト車と平坦面ベルトとの間で形成される場合の同じ係合長さに亙る全接触パッチの面積に対して、２０％〜５０％に相当する面積を有し、
前記平坦面バックサイドベルト車と接触する湾曲最外面に形成する凸部の幅方向の横断面が、平坦形状、湾曲形状あるいは円弧形状のうち少なくとも一つの形状で形成される低い領域に繋がり且つ円弧形状、半円形状、楕円形状、三角形状、正弦形状のうち少なくとも一つの形状で形成され、
前記外側バックサイド部の横断面の両端部分にも前記凸部を形成し、
ＳＡＥ  Ｊ２４３２に従って試験したときに、前記平坦面バックサイドベルト車と前記外側バックサイド部との間の摩擦係合を時間経過とともに繰り返して加えることで、前記摩擦係合の摩擦係数が除々に上昇するように前記外側バックサイド部の最大厚さを１．３ｍｍ且つ前記低い領域の深さを０．１ｍｍ〜１．０ｍｍとすることを特徴とするＶ形リブ式ベルト車システム。
【請求項２】
上記凸部が上記Ｖ形リブ式ベルトの全長にそって縦方向に延長し、そして上記Ｖ形リブ式ベルトの上記外側バックサイド部の幅間に横方向に離間配置されている請求項１に記載のＶ形リブ式ベルト車システム。
【請求項３】
上記凸部がＶ形リブ式ベルトの上記外側バックサイド部の長さにそって設けられた縦方向に延長し且つ連続する外側リブからなり、これら外側リブが湾曲形状のベルト車接触面を有する請求項２に記載のＶ形リブ式ベルト車システム。
【請求項４】
上記小さな接触パッチが、上記平坦面バックサイドベルト車と上記外側リブの湾曲形状のベルト車接触面の頂点との間の接触領域によって形成された請求項３に記載のＶ形リブ式ベルト車システム。
【請求項５】
上記凸部の幅が０．２ｍｍ〜１．８ｍｍで、中心間間隔が０．４ｍｍ〜３．６ｍｍであり、
上記凸部を含む上記Ｖ形リブ式ベルトの前記外側バックサイド部の厚みが０．７６ｍｍから前記最大厚さの範囲であり、上記Ｖ形リブ式ベルトの前記内側フロントサイド部の厚みが４．０ｍｍ〜６．３５ｍｍである請求項１に記載のＶ形リブ式ベルト車システム。
【請求項６】
上記凸部の少なくとも一つが、頂点で前記平坦面バックサイドベルト車と接触する三角形リブからなる請求項２に記載のＶ形リブ式ベルト車システム。
【請求項７】
上記凸部と前記平坦面バックサイドベルト車との接触によって形成される上記小さな接触パッチが、前記平坦面バックサイドベルト車と平坦面ベルトとの間で形成される場合の同じ係合長さに亙る全接触パッチの面積に対して、２０％〜３５％に相当する面積を有する請求項１に記載のＶ形リブ式ベルト車システム。
【請求項８】
（ａ）外側バックサイド部および内側フロントサイド部を有し、この内側フロントサイド部に複数の縦方向に延長するＶ形リブを横断方向に離間配置し、前記外側バックサイド部と前記内側フロントサイド部との間に設け且つ前記縦方向に延長する荷重運搬コードを一体にした荷重運搬部を備えたＶ形リブ式ベルト、
（ｂ）前記Ｖ形リブ式ベルトの前記内側フロントサイド部に摩擦接触する溝付きフロントサイド駆動ベルト車、および
（ｃ）前記Ｖ形リブ式ベルトの前記外側バックサイド部と摩擦係合する平坦面バックサイドベルト車からなるＶ形リブ式ベルト車システムにおいて、
前記外側バックサイド部の外面が、平坦形状、湾曲形状あるいは円弧形状のうち少なくとも一つの形状で形成される低い領域に繋がり且つ円弧形状、半円形状、楕円形状、三角形状、正弦形状のうち少なくとも一つの形状で形成される外側リブを複数設け、その外側リブを前記外側バックサイド部の長さにそって縦方向に伸ばし、
前記外側バックサイド部の横断面の両端部分にも前記外側リブを形成し、
これら外側リブが頂点で前記平坦面バッサイドベルト車と接触し、摩擦係合する湾曲形状の外側先端部を有し、
ＳＡＥ  Ｊ２４３２に従って試験したときに、前記平坦面バックサイドベルト車と前記外側バックサイド部との間の摩擦係合を時間経過とともに繰り返して加えることで、前記摩擦係合の摩擦係数が除々に上昇するように前記外側バックサイド部の最大厚さを１．３ｍｍ且つ前記低い領域の深さを０．１ｍｍ〜１．０ｍｍとすることを特徴とするＶ形リブ式ベルト車システム。
【請求項９】
０．２ｍｍから１．８ｍｍまでの範囲で外側リブの幅を定め且つ０．４ｍｍから３．６ｍｍまでの区間で外側リブの中心間間隔を定めた請求項８に記載のＶ形リブ式ベルト車システム。
【請求項１０】
０．７６ｍｍから前記最大厚さまでの寸法で前記外側バックサイド部の厚みを定め、且つ４．０ｍｍから６．３５ｍｍまでの長さで前記内側フロントサイド部の厚みを定めた請求項８又は９に記載のＶ形リブ式ベルト車システム。
【請求項１１】
（ａ）外側バックサイド部および内側フロントサイド部を有し、この内側フロントサイド部に複数の縦方向に延長するＶ形リブを横断方向に離間配置し、前記外側バックサイド部と前記内側フロントサイド部との間に設け且つ前記縦方向に延長する荷重運搬コードを一体にした荷重運搬部を備えたＶ形リブ式ベルト、
（ｂ）前記Ｖ形リブ式ベルトの前記内側フロントサイド部に摩擦接触する溝付きフロントサイド駆動ベルト車、および
（ｃ）前記Ｖ形リブ式ベルトの前記外側バックサイド部と摩擦係合する平坦面バックサイドベルト車からなるＶ形リブ式ベルト車システムにおいて、
前記外側バックサイド部の外面が複数の凸部を有し、平坦形状、湾曲形状あるいは円弧形状のうち少なくとも一つの形状で形成される低い領域が繋がる形状の前記凸部であって、この凸部が円弧形状、半円形状、楕円形状、三角形状、正弦形状のうち少なくとも一つの形状で形成され、
前記凸部が前記平坦面バックサイドベルト車と接触して摩擦係合し、
前記外側バックサイド部の横断面の両端部分にも前記凸部を形成し、
ＳＡＥ  Ｊ２４３２に従って試験したときに、前記平坦面バックサイドベルト車と前記外側バックサイド部との間の摩擦係合を時間経過とともに繰り返して加えることで、前記摩擦係合の摩擦係数が除々に上昇するように前記外側バックサイド部の最大厚さを１．３ｍｍ且つ前記凸部の高さを０．１ｍｍ〜１．０ｍｍにして、更に前記凸部を前記Ｖ形リブ式ベルトの長さにそって縦方向に延長することを特徴とするＶ形リブ式ベルト車システム。
【請求項１２】
上記凸部の頂点で上記平坦面バックサイドベルト車と接触する湾曲形状の先端部を有する縦方向に延長する上記凸部からなる請求項１１に記載のＶ形リブ式ベルト車システム。
【請求項１３】
上記凸部の高さが０．５ｍｍ〜１．０ｍｍである請求項１２に記載のＶ形リブ式ベルト車システム。
【請求項１４】
少なくとも一つの凸部が湾曲形状の縦方向延長チャネルによって隣接の凸部から分離されている請求項１１に記載のＶ形リブ式ベルト車システム。
【請求項１５】
上記凸部が、頂点で上記平坦面バックサイドベルト車と接触する鋭い先端部を有する三角形の縦方向に延長する上記凸部からなる請求項１１に記載のＶ形リブ式ベルト車システム。
【発明の詳細な説明】
【技術分野】
【０００１】
本発明は動力伝達ベルトに関し、具体的には、平坦面バックサイドベルト車の駆動を目的とした、高い摩擦係数をもつ外側バックサイド面を備えた改良Ｖ形リブ式ベルトに関する。
【背景技術】
【０００２】
Ｖ−ベルトおよびＶ形リブ式ベルトは広い分野で使用されている。Ｖ形リブ式ベルトは動力伝達作用が高く、好ましいベルトである。これは、ベルトのリブと対応するベルト車のフランク部との間に大きな接触領域があるからである。
【０００３】
Ｖ−ベルトおよびＶ形リブ式ベルトを駆動するさい、ノイズが出る傾向がある。これは特に自動車を駆動するさいによく見られる苦情である。ベルトノイズの主原因は、ベルトのリブがベルト車溝に出入りするさいに生じるか、あるいはベルトに対するベルト車の過剰な回転スリップから生じるベルト車の係合・脱係合である。回転スリップは、シフト操作時、エンジン始動時やエンジン停止時に見られる急加速や急減速、あるいは過剰な荷重またはベルト車への不十分な装荷など原因として発生する。
【発明の概要】
【発明が解決しようとする課題】
【０００４】
ベルトノイズを抑制し、バックサイドベルト車の回転スリップを抑制する従来の試みは、当時の駆動システムに対してはうまくいっていたが、現在の駆動システムの場合、ファン、水ポンプやエアコンなどの付属部品を駆動するために、ベルト車をベルトのバックサイドに設けることがますます増えてきている。エンジンへのこれら性能条件が厳しくなっている現状では、付属部品への荷重が既存の曲がりの多いベルトの能力を超えることになる。このような荷重下で効率的にバックサイドベルト車を駆動するためには、Ｖ形リブ式ベルトでも改善する必要がある。また、Ｖ形リブ式ベルトの場合ノイズおよびスリップも抑制する必要がある。
【課題を解決するための手段】
【０００５】
本発明の一つの態様は、機械式動力伝達を目的としたＶ形リブ式ベルト車システムである。このＶ形リブ式ベルト車システムは外側バックサイド部、横断方向に離間配置された複数の縦方向延長Ｖ形リブを備えた内側のフロントサイド部および上記バックサイド部と上記フロントサイド部との間に配設された荷重運搬部をもつＶ形リブ式ベルト、フロントサイド駆動ベルト車、および平坦面バックサイドベルト車からなる。フロントサイド駆動ベルト車がＶ形リブ式ベルトのフロントサイド部と摩擦係合し、そして平坦面バックサイドベルト車がＶ形リブ式ベルトのバックサイド部と摩擦係合する。本発明は、このＶ形リブ式ベルトのバックサイド部を改良するものである。即ち、バックサイド部の外面にバックサイドベルト車に接触する凸部を形成する。そしてこの凸部があるため、バックサイドベルト車と接触するパッチ領域が小さくなる。このパッチ領域の面積は、同じ係合長さでバックサイドベルト車と平坦面ベルトとの間に形成される全接触パッチ領域の面積の約２０％〜約５０％である。
【０００６】
本発明のもう一つの態様は、Ｖ形リブ式ベルト車システムに関するもので、Ｖ形リブ式ベルトは外側バックサイド部および横断方向に離間配置された複数の縦方向延長Ｖ形リブを備えた内側フロントサイド部、Ｖ形リブ式ベルトのフロンサイド部に摩擦係合する溝付きフロントサイド駆動ベルト車、およびＶ形リブ式ベルトのバックサイド部に摩擦係合する平坦面バックサイドベルト車から構成する。Ｖ形リブ式ベルトのバックサイド部の外面に、ベルトのバックサイドの長さにそって複数の縦方向延長リブを形成する。これらリブの湾曲形状外側先端部が、リブの頂点で平坦面バックサイドベルト車に接触し、かつ摩擦係合する。
【０００７】
本発明のもう一つの態様では、Ｖ形リブ式ベルト車システムのバックサイドの外面に、ベルトの長さにそって、高さが約０．１ｍｍ〜約１．０ｍｍの複数の縦方向延長凸部を形成する。これら凸部はベルトに接触し、これを平坦面バックサイドベルト車に摩擦係合する。
【０００８】
本発明のＶ形リブ式ベルトのバックサイド部は高い摩擦係数をもつため、平坦面バックサイドベルト車を効率よく駆動でき、従ってエンジンの付属装置を駆動するために使用することができる。バックサイド部に凸部とこれよりも低い領域があるため、ノイズが小さくなり、バックサイド部から屑や液状物をバックサイドベルト車界面に取り除くことができる。屑や液状物はベルト車に対するベルトスリップの原因になり得るため、本発明の実施態様では、スリップも減ることになる。さらに、本発明のバックサイド部は長いベルト寿命を担保し、また平坦面バックサイドベルト車に対して効果的な摩擦係数を維持するものである。
【図面の簡単な説明】
【０００９】
【図１】フロントサイドベルト車およびバックサイドベルト車に係合しているＶ形リブ式ベルトを示す正面概略図である。
【図２】平坦面バックサイドベルト車に係合している従来技術におけるフラットバックＶ形リブ式ベルトを示す横断面図である。
【図３】平坦面バックサイドベルト車に係合している本発明の改良Ｖ形リブ式ベルトの第１実施態様を示す横断面図である。
【図４】図３に示した本発明の改良Ｖ形リブ式ベルトを示す一部を拡大した横断面図である。
【図５】平坦面バックサイドベルト車に係合している本発明の改良Ｖ形リブ式ベルトの第２実施態様を示す横断面図である。
【図６】図５に示した本発明の改良Ｖ形リブ式ベルトを示す一部を拡大した横断面図である。
【図７】本発明の改良Ｖ形リブ式ベルトのさらに別な実施態様を示す一部を拡大した横断面図である。
【図８】本発明の改良Ｖ形リブ式ベルトのさらに別な実施態様を示す一部を拡大した横断面図である。
【図９】本発明の改良Ｖ形リブ式ベルトのさらに別な実施態様を示す一部を拡大した横断面図である。
【図１０】平坦面バックサイドベルト車に係合している本発明の改良Ｖ形リブ式ベルトの一実施態様を示す側面図である。
【図１１】平坦面ベルト車とこのベルト車に係合している平坦面ベルト面との間に形成される接触パッチを示す概略図である。
【図１２】平坦面ベルト車と、ベルトのベルト車係合面に縦方向延長凸部を形成した改良ベルトの一実施態様との間に形成された接触パッチを示す概略図である。
【発明を実施するための形態】
【００１０】
本発明の改良Ｖ形リブ式ベルトの好適な実施態様を添付図面により説明する。以下添付図面を参照して本発明の各特徴、各作用効果について説明するが、本発明はこれら実施態様よりも範囲が広く、これらに制限されるものではない。
【００１１】
図１について説明する。全体を参照符号１００で示す曲がりの多いベルト駆動システムはＶ形リブ式ベルト１０２、フロンサイド駆動ベルト車１０８、一つかそれ以上の従動フロントサイド付属ベルト車１０４、１０６、および一つかそれ以上のバックサイドベルト車１１０から構成することができる。図１に示した駆動システム１００は、駆動システム構成の一例に過ぎず、別な多くの構成も公知であり、いずれも本発明の適用対象である。
【００１２】
図２に横断面図の形で、従来技術によるＶ形リブ式ベルト６０２と従来技術によるバックサイドベルト車６１０との係合状態を示す。この従来のＶ形リブ式ベルトは複数の縦方向延長Ｖ形リブ６２６を形成した内側フロントサイド部（圧縮部と呼ばれることもある）６２２、平坦な外側バックサイド部（張力部と呼ばれることもある）６２０、およびフロントサイド部とバックサイド部との間にある荷重（負荷）運搬部６２４を備えている。従来のバックサイドベルト車６１０は、平滑なベルト受け取り面６３０を備えた平坦面ベルト車である。よく知られているように、バックサイドベルト車６１０はベルト走行路内への延入作用か、あるいは押し込み作用によってＶ形リブ式ベルト６０２に係合するため、ベルトがベルト車の外側円周の一部の周りに巻き付くことになる。ベルト車６１０とベルト６０２とが摩擦接触すると、ベルトがベルト車を駆動する。摩擦が不十分な場合には、スリップが発生し、あるいはノイズが大きくなる。
【００１３】
図１１に概略を示すように、従来のベルト車のベルト受け取り面６３０と従来のベルトのバックサイド部６２０との間の接触領域（ここでは接触パッチと呼ぶこともある）は、両者の接触面が全体として平滑であるため、二次元平面に突入したときに、ほぼ矩形になる。この接触パッチの大きさは、ベルトの平坦バックサイド部６２０の幅に、ベルトがベルト車の外側ベルト受け取り面６３０に巻き付く円周長さを乗算することによって全体として近似できる。バックサイドベルト車６１０のベルト受け取り面６３０とベルト６０２のバックサイド部６２０との間の摩擦係数は、各接触面を形成するために使用する材質に依存するものである。
【００１４】
本発明の改良Ｖ形リブ式ベルトでは、外側バックサイド面を改良し、平坦面バックサイドベルト車と係合したときに、平坦面ベルトよりも接触パッチを小さくなるように設定する。この小さな接触パッチが有効摩擦係数を高くする作用があるため、スリップが減る予期しない作用効果が得られることになる。直観的にいって、ベルトとベルト車との接触面積が小さくなると、スリップを抑制する摩擦係数がより大きくなる、または、摩擦力がより強くなるとは考えられないため、この作用効果は予期しない結果である。にもかかわらず、ベルトの改良ベルト車接触面のベルト車の面との接触が少なくなっても、本発明の改良Ｖ形リブ式ベルトは、同じような平坦面ベルトよりもかなり大きい摩擦係数を発生するものである。
【００１５】
本明細書で説明する改良バックサイド面は明らかにバックサイドベルト車に対して高圧接触を集中させる凸部をもつため、ベルトのバックサイドとベルト車との有効摩擦係数が高くなる。この高い摩擦係数は、ベルトのバックサイドが約１５ｈｐまでの荷重で全体として平坦面のバックサイドベルト車を駆動でき、スリップが減り、ノイズも小さくなり、ベルト寿命が長くなり、しかも高い摩擦係数をその間維持できる作用効果がある。
【００１６】
次に図３に示す一つの実際態様について説明する。図示の状態では、改良Ｖ形リブ式ベルト１０２はベルトの外側バックサイド面１２８が、全体的に平坦な、バックサイドベルト車１１０のベルト受け取り面１３０に対向する位置にある。このＶ形リブ式ベルト１０２はバックサイド部１２０、内側フロントサイド部１２２、およびバックサイド部１２０とフロントサイド部１２２との間の荷重運搬部１２４から構成される。荷重運搬部１２４には荷重運搬コード１３８を設けることができる。フロントサイド部１２２には、フロントサイドベルト車と係合し、これによって駆動される縦方向延長Ｖ形リブ１２６およびＶ形溝１２７を横断方向に離間配設する。
【００１７】
図３および図４に示す実施態様では、タイヤのトレッドが溝がないタイヤと比較して小さい路面接触面積を形成する場合と同じように、平坦面バックサイドベルト車と係合したときに、小さな接触パッチを形成する凸部１３２を有する改良バックサイド部１２０を使用する。本実施態様における凸部１３２は平坦なベルト受け取り面１３０と係合する複数のリブからなる。図３と同様に、ベルトの横幅間の横断面でみた場合、本実施態様のリブは、各リブの頂点で平坦面ベルト車と接触する湾曲形状先端部を有する。低い領域１３４によって分離されているリブはベルトのバックサイドの幅間で横断方向に離間され、ベルト長さに沿って縦方向に延長されている。低い領域１３４ではなく、これら凸部１３２が全体として平坦なバックサイドベルト車１１０のベルト受け取り面１３０と接触し、ベルト車を駆動する。これら低い領域１３４は、摩擦係数を低くする恐れがある屑、粉塵やその他の汚染物を接触パッチから経時的に無関係な方向に向けるチャネルとして作用する。
【００１８】
図１０は、係合長さＬにわたって平坦面バックサイドベルト車７１０に係合した状態にある改良ベルト７０２のバックサイドを示す概略図である。フロントサイドベルト車７０６および７０８も改良ベルト７０２と接触状態にある。図１１に概略を示した従来の平坦面ベルトＢによって作り出される矩形接触パッチＲＰとは対照的に、同じ係合長さＬにわたって改良ベルト７０２によって作り出された接触パッチは面積がより小さく、また図１２に示すように、非接触領域７２４によって分離された一連の横方向離間列７２２からなる。一部の実施態様では、この小さな接触パッチの面積は、同じ係合長さにわたって平坦面ベルト車と係合したときに、平坦面ベルトが形成すると考えられる接触パッチの面積の約２０％〜約５０％である。また他の一部の実施態様の場合、この接触パッチの面積としては、平坦面ベルトと平坦面ベルト車との間に形成すると考えられる接触パッチの約２０％〜約３５％が好ましい。
【００１９】
本発明改良ベルトのバックサイド部１２０は、フロントサイドＶ形リブ式部１２２よりも薄い。バックサイド部１２０の全体厚みＴ１は、フロントサイド部１２２の厚さＴ２の半分以下に設定することができる。一部の実施態様では、バックサイド部１２０の厚さＴ１は約０．７６ｍｍ〜約１．３ｍｍに設定することができ、一方フロントサイド部１２２の厚みＴ２は約４．０ｍｍ〜約６．３ｍｍに設定することができる。フロントサイド部１２２のＶ形リブの高さは、約１．８ｍｍ〜約２．７ｍｍに設定することができる。また凸部１３２の高さＨは約０．１ｍｍ〜約１．０ｍｍに、そして幅Ｗは約０．２ｍｍ〜約１．８ｍｍに設定することができる。また一部の好適な実施態様では、凸部１３２の高さは約０．５ｍｍ〜約１．０ｍｍに設定することができ、またベルト車接触凸部１３２の中心間距離Ｃは約０．４ｍｍ〜約３．６ｍｍに設定することができる。凸部１３２を含むバックサイド部１２０を比較的薄くすることから得られる作用効果は、Ｖ形リブ式ベルトの可撓性を保持できることであり、従って各種駆動システム構成におけるベルトの寿命を改良でき、またベルトの有用性を改良できる。
【００２０】
図５および図６について説明する。図示のように第２実施態様の改良Ｖ形リブ式ベルト２０２の場合、バックサイドベルト車２１０の全体として平坦なベルト受け取り面２３０に対してベルトの外側バックサイド面２２８が対向する位置にある。このＶ形リブ式ベルト２０２は外側バックサイド部２２０、内側フロントサイド部２２２、およびこれらバックサイド部２２０とフロントサイド部２２２との間に設けられた荷重運搬部２２４から構成する。フロントサイド部２２２には、縦方向延長Ｖ形リブ２２６およびＶ形溝２２７を横断方向に離間配置する。改良バックサイド部２２０には、バックサイドベルト車２１０のベルト受け取り面２３０に接触し、摩擦係合する複数の縦方向延長凸部２３２を横断方向に離間配置する。この実施態様の場合、外側バックサイド面２２８は凸部２３２を形成する波型凹凸領域からなる。第１実施態様について説明した高さ、幅、中心間間隔に凸部２３２を設定することができる。これら凸部２３２は、図１１に概略を示した接触パッチに近似でき、またこれと同様なベルト車のベルト受け取り面２３０との接触パッチを形成する。
【００２１】
図３〜６に示した第１および第２の実施態様の場合、凸部１３２および２３２の全体形状は湾曲形状か円弧形状であるが、半円形状、楕円形状、正弦形状などに設定することも可能である。湾曲形状ベルト車接触面は、騒音を低減して、ベルトのバックサイドがより平滑にベルト車のベルト受け取り面１３０、２３０に移り、あるいはこれから離れるようにできる点で有利である。さらに、よく知られているように、Ｖ形リブ式ベルトの鋭い角部は、ベルトのひび割れ開始点になる傾向がある。従って、湾曲形状の凸部１３２、２３２およびベルト車のベルト受け取り面に接触しない低い領域１３４、２３４を使用すると、ベルト内のひび割れがなくなるか、あるいはこれを抑制することができる。
【００２２】
鋭い角部のない円弧形状凸部が有利であるが、矩形状、三角形状やこれらの複合形状の凸部も使用でき、いずれも本発明の範囲内に含まれるものである。図７〜９に改良Ｖ形リブ式ベルト３０２、４０２および５０２の別な実施態様を示す。なお、同じ構成成分については同じ参照符号で示す。各Ｖ形リブ式ベルト３０２、４０２、５０２は外側バックサイド部３２０、４２０、５２０を備え、バックサイドベルト車のベルト受け取り面に係合する複数の縦方向延長凸部３３２、４３２、５３２を横断方向に離間配置してある。
【００２３】
図７に示すように、凸部３３２は三角形リブで構成することができ、全体として平坦な低い領域３３４を間に設ける。図８に示すように、凸部４３２は全体として三角形のリブで構成することができ、隣接リブを湾曲形状か円弧形状の低い領域４３４かチャネルで結合する。図９に示すように、凸部５３２は全体として矩形であり、円弧形状の低い領域５３４が徐々に隣接凸部に移行する。あるいは、さらに別な実施態様の場合には、図９と同様な矩形凸部と、図７と同様な全体として平坦な低い領域を置き換えてもよい。これら実施態様それぞれの凸部の高さ、幅、中心間間隔および接触パッチは上記に従って設定すればよい。さらに、図３〜９の実施態様では、凸部の高さ、幅、中心間間隔を均一に設定してあるが、バックサイド部はこのような構成に制限されない。即ち、凸部は異なる高さ、幅、中心間間隔に設定することができる。
【００２４】
当業者ならば、本発明は、Ｖ形リブ式ベルトの製造において公知な材料および製造技術を利用して、ほぼ任意のＶ形リブ式ベルトに応用適用できることを認めるはずである。本発明の一部の実施態様では、Ｖ形リブ式ベルトの横断面サイズはいくつかのサイズから選択することができ、例示すれば、リブ間ピッチの昇順で（ＵＳ）ＰＶＨ、ＰＶＪ、ＰＶＫ、ＰＶＬおよびＰＶＭ、（ＩＳＯ）ＰＨ、ＰＪ、ＰＫ、ＰＬおよびＰＭである。Ｖ形リブ式ベルトのフロントサイド部、荷重運搬部、バックサイド部は公知の製造技術を利用して弾性化合物、織布やコードから製造すればよい。例えば弾性化合物から製造した改良バックサイド部は、上記構成のいずれか、あるいは変形構成の外面をもつように成形によって製造することができる。
【００２５】
バックサイドベルト構成を改良した改良摩擦係数については、比較実験によって確認した。最初に、図３に示した構成の改良バックサイド部をもつ複数のＶ形リブ式ベルトを公知技術によって製造した。深さが０．０２０インチ（０．５０８ｍｍ）でピッチ（即ち中心間間隔）が０．０８０インチ（２．０３ｍｍ）の溝を形成したテンプレートを使用して、パターンが形成された構成のベルトのバックサイド部を製造した。Ｖ形リブ式ベルトのバックサイド面の凸部は高さＨが約０．０１２インチ（０．３０４ｍｍ）、中心間間隔Ｃが約０．０８インチ（２．０３ｍｍ）であった。これらＶ形リブ式ベルトを以下の表１および２にＥｘ．１〜６として示す。次に、同じ材料からＥｘ．１〜６として製造した複数のＶ形リブ式ベルトを同じ製造技術で製造した。ただし、バックサイド面は図２に示すように平坦面とした。これらベルトについては、以下の表１および２においてＥｘ．７および８として示す。
【００２６】
平坦面バックサイドベルト車を用いて従来のＶ形リブ式ベルトおよび本発明の改良Ｖ形リブ式ベルトを試験して、ＳＡＥ  Ｊ２４３２に準拠した試験室内において乾燥した粉塵条件下で１０時間、２４時間後のいずれかの時間後のピーク時および１０％スリップ時の摩擦係数を求めた。なお、ここでピークとは、ベルト走行停止時および走行開始時の静的摩擦係数を意味する。また、１０％スリップ時の摩擦係数とは、ベルトが駆動ベルト車とバックサイドベルト車との間のある点で１０％のスリップを起こした場合の摩擦係数を意味する。バックサイドスリップ試験毎に、各ベルトを連続３回試験した。試験結果を以下の表１および表２にまとめる。
表１：ピーク時摩擦係数：改良面対平滑面
0005694962.tif 000002
表２：１０％スリップ時摩擦係数：改良面対平滑面
0005694962.tif 000003
【００２７】
本発明改良ベルトを使用した試験１のＥｘ．１〜６の摩擦係数は、従来ベルトを使用したＥｘ．７および８に比較して平均してわずかに高いが、時間が経つうちに、連続試験２および３によって実証されたように、改良バックサイド面の作用効果が強くなった。Ｅｘ．７および８の従来の平坦面ベルトの摩擦係数は、３つの連続試験すべてを通して全体として同じままであった。改良Ｖ形リブ式ベルトの摩擦係数は連続試験において有意味な上昇を示したが、これは予想外であった。このように、本発明のＶ形リブ式ベルトは、連続使用後でも、摩擦係数は従来の平坦面ベルトよりもかなり高かった。
【００２８】
以上具体的な実施態様によって本発明を詳しく説明してきたが、数多くの変更や改変などが、特許請求の範囲に記載された発明の精神から逸脱することなく実施可能であることは明らかだと考えられる。
【符号の説明】
【００２９】
１００：ベルト駆動システム
１０２：Ｖ形リブ式ベルト
１０４：従動ベルト車
１０６：従動ベルト車
１０８：駆動ベルト車
１１０：バックサイドベルト車
１２６：Ｖ形リブ
１２７：Ｖ形溝
１３２：凸部
【図１】
0005694962.tif 000004
【図２】
0005694962.tif 000005
【図３】
0005694962.tif 000006
【図４】
0005694962.tif 000007
【図５】
0005694962.tif 000008
【図６】
0005694962.tif 000009
【図７】
0005694962.tif 000010
【図８】
0005694962.tif 000011
【図９】
0005694962.tif 000012
【図１０】
0005694962.tif 000013
【図１１】
0005694962.tif 000014
【図１２】
0005694962.tif 000015